(57)【要約】【課題】上下に配列された扁平管と、フィンと、を有する熱交換器が、冷房運転、暖房運転及び除霜運転を切り換えて行う空気調和装置に採用される場合に、サブ熱交換部に付着する霜の量を減らすとともに、メイン熱交換部とサブ熱交換部との間で発生する熱ロスを減らす。【解決手段】熱交換器（１１）は、複数の熱交換部に区分される。最下段の扁平管（６３Ａ）を含む熱交換部は第１熱交換部群（５０Ａ）を構成し、第１熱交換部群（５０Ａ）よりも上側の熱交換部は第２熱交換部群（５０Ｂ）を構成する。第２熱交換部群（５０Ｂ）は、メイン熱交換部がまとめて配置された第２メイン熱交換部群（５１Ｂ）と、サブ熱交換部がまとめて配置された第２サブ熱交換部群（５２Ｂ）と、を有する。第２サブ熱交換部群（５２Ｂ）は、第２メイン熱交換部群（５１Ｂ）の下側に配置され、かつ、第１熱交換部群（５０Ａ）を構成するメイン熱交換部の上側に配置される。【選択図】図７
2019035535.tif 000002
【特許請求の範囲】
【請求項１】
上下に配列されるとともに内部に冷媒の通路（６３ｂ）が形成された複数の扁平管（６３）と、
隣り合う前記扁平管の間を空気が流れる複数の通風路に区画する複数のフィン（６４）と、
を有しており、
前記扁平管は、複数の熱交換部（６０Ａ〜６０Ｉ）に区分されており、
各前記熱交換部は、メイン熱交換部（６１Ａ〜６１Ｉ）と、前記メイン熱交換部と異なる上下位置において前記メイン熱交換部に直列に接続されたサブ熱交換部（６２Ａ〜６２Ｉ）と、を有しており、
前記熱交換部のうち最下段の前記扁平管（６３Ａ）を含む熱交換部は、第１熱交換部群（５０Ａ）を構成しており、
前記熱交換部のうち前記第１熱交換部群よりも上側に配置された少なくとも２つの熱交換部は、第２熱交換部群（５０Ｂ）を構成しており、
前記第２熱交換部群は、前記第２熱交換部群を構成するメイン熱交換部がすべて上下に隣り合うように配置された第２メイン熱交換部群（５１Ｂ）と、前記第２熱交換部群を構成するサブ熱交換部がすべて上下に隣り合うように配置された第２サブ熱交換部群（５２Ｂ）と、を有しており、
前記第２サブ熱交換部群は、前記第２メイン熱交換部群の下側に隣り合うように配置されるとともに、前記第１熱交換部群を構成するメイン熱交換部の上側に隣り合うように配置されている、
熱交換器（１１）。
【請求項２】
前記第１熱交換部群は、前記熱交換部のうち２つ以下の熱交換部を有しており、
前記第１熱交換部群は、前記第１熱交換部群を構成するメイン熱交換部がすべて上下に隣り合うように配置された第１メイン熱交換部群（５１Ａ）と、前記第１熱交換部群を構成するサブ熱交換部がすべて上下に隣り合うように配置された第１サブ熱交換部群（５２Ａ）と、を有している、
請求項１に記載の熱交換器。
【請求項３】
前記第１熱交換部群は、前記熱交換部のうち１つの熱交換部を有している、
請求項２に記載の熱交換器。
【請求項４】
前記第２熱交換部群は、前記熱交換部のうち前記第１熱交換部群よりも上側に配置された５つ以下の熱交換部を有している、
請求項１〜３のいずれか１項に記載の熱交換器。
【請求項５】
前記熱交換部のうち前記第２熱交換部群よりも上側に配置された少なくとも２つの熱交換部は、第３熱交換部群（５０Ｃ）を構成しており、
前記第３熱交換部群は、前記第３熱交換部群を構成するメイン熱交換部がすべて上下に隣り合うように配置された第３メイン熱交換部群（５１Ｃ）と、前記第３熱交換部群を構成するサブ熱交換部がすべて上下に隣り合うように配置された第３サブ熱交換部群（５２Ｃ）と、を有しており、
前記第３サブ熱交換部群は、前記第３メイン熱交換部群の下側に隣り合うように配置されるとともに、前記第２メイン熱交換部群の上側に隣り合うように配置されている、
請求項１〜４のいずれか１項に記載の熱交換器。
【請求項６】
前記第３熱交換部群は、前記熱交換部のうち前記第２熱交換部群よりも上側に配置された５つ以下の熱交換部を有している、
請求項５に記載の熱交換器。
【発明の詳細な説明】
【技術分野】
【０００１】
本発明は、熱交換器、特に、上下に配列されるとともに内部に冷媒の通路が形成された複数の扁平管と、隣り合う扁平管の間を空気が流れる複数の通風路に区画する複数のフィンと、を有する熱交換器に関する。
【背景技術】
【０００２】
従来より、空気調和装置の室外ユニット（熱交換ユニット）に収容される熱交換器として、上下に配列された複数の扁平管と、隣り合う扁平管の間を空気が流れる複数の通風路に区画する複数のフィンと、を有する、熱交換器が採用される場合がある。そして、このような熱交換器として、特許文献１（特開２０１２−１６３３１９号公報）に示すように、複数の扁平管が、熱交換器の上部にすべてまとめて配置された複数のメイン熱交換部と、複数のメイン熱交換部の下側にすべてまとめて配置された複数のサブ熱交換部と、に区分され、メイン熱交換部とサブ熱交換部とが連通管等を介して接続されることによって複数の熱交換部が形成されたものがある。また、別の熱交換器として、特許文献２（特開２０１２−１６３３１３号公報）に示すように、複数の扁平管が、上下に並ぶ複数の熱交換部に区分されており、各熱交換部が、メイン熱交換部と、メイン熱交換部の下方においてメイン熱交換部に直列に接続されたサブ熱交換部と、を有するように形成されたものがある。
【発明の概要】
【発明が解決しようとする課題】
【０００３】
上記従来の熱交換器は、冷房運転、暖房運転及び除霜運転を切り換えて行う空気調和装置に採用されることがある。ここで、空気調和装置が暖房運転を行う場合には、上記従来の熱交換器が冷媒の蒸発器として使用され、空気調和装置が冷房運転及び除霜運転を行う場合には、上記従来の熱交換器が冷媒の放熱器として使用される。具体的には、上記従来の熱交換器が冷媒の蒸発器として使用される場合には、気液二相状態の冷媒が分岐して各熱交換部を構成するサブ熱交換部に流入し、サブ熱交換部に流入した気液二相状態の冷媒は、サブ熱交換部、メイン熱交換部の順に通過して加熱され、各熱交換部から流出して合流する。また、上記従来の熱交換器が冷媒の放熱器として使用される場合には、ガス状態の冷媒が分岐して各熱交換部のメイン熱交換部に流入し、メイン熱交換部に流入したガス状態の冷媒は、メイン熱交換部、サブ熱交換部の順に通過して冷却され、各熱交換部から流出して合流する。
【０００４】
ここで、上記従来の熱交換器のうち特許文献１に示された熱交換器では、サブ熱交換部が熱交換器の下部にすべてまとめて配置されているため、熱交換部の数が多くなると、暖房運転時にサブ熱交換部に付着する霜の量が多くなりやすい。このため、除霜運転時にサブ熱交換部に付着した霜を融かすのに時間がかかり、除霜運転後においてもサブ熱交換部において霜の融け残りが発生して除霜が不十分となるおそれがある。
【０００５】
また、上記従来の熱交換器のうち特許文献２に示された熱交換器では、メイン熱交換部とサブ熱交換部とが上下に１つずつ隣り合うように配置されているため、熱交換部の数が多くなると、メイン熱交換部とサブ熱交換部とが隣り合う箇所も多くなる、このため、メイン熱交換部とサブ熱交換部との間で発生する熱ロスが多くなり、冷房運転時の放熱性能が低下するおそれがある。
【０００６】
本発明の課題は、上下に配列されるとともに内部に冷媒の通路が形成された複数の扁平管と、隣り合う扁平管の間を空気が流れる複数の通風路に区画する複数のフィンと、を有する熱交換器が、冷房運転、暖房運転及び除霜運転を切り換えて行う空気調和装置に採用される場合に、サブ熱交換部に付着する霜の量を減らすとともに、メイン熱交換部とサブ熱交換部との間で発生する熱ロスを減らすことにある。
【課題を解決するための手段】
【０００７】
第１の観点にかかる熱交換器は、上下に配列されるとともに内部に冷媒の通路が形成された複数の扁平管と、隣り合う扁平管の間を空気が流れる複数の通風路に区画する複数のフィンと、を有している。扁平管は、複数の熱交換部に区分されており、各熱交換部は、メイン熱交換部と、メイン熱交換部と異なる上下位置においてメイン熱交換部に直列に接続されたサブ熱交換部と、を有している。そして、ここでは、熱交換部のうち最下段の扁平管を含む熱交換部が、第１熱交換部群を構成しており、熱交換部のうち第１熱交換部群よりも上側に配置された少なくとも２つの熱交換部が、第２熱交換部群を構成している。第２熱交換部群は、第２熱交換部群を構成するメイン熱交換部がすべて上下に隣り合うように配置された第２メイン熱交換部群と、第２熱交換部群を構成するサブ熱交換部がすべて上下に隣り合うように配置された第２サブ熱交換部群と、を有している。第２サブ熱交換部群は、第２メイン熱交換部群の下側に隣り合うように配置されるとともに、第１熱交換部群を構成するメイン熱交換部の上側に隣り合うように配置されている。
【０００８】
ここでは、上記の複数の熱交換部の構成・配置によって、第２熱交換部群を構成する第２メイン熱交換部群、第２熱交換部群を構成する第２サブ熱交換部群、及び、第１熱交換部群を構成するメイン熱交換部が、上から順に配置されることになる。すなわち、ここでは、複数のサブ熱交換部が、第１熱交換部群を構成するメイン熱交換部を介して、上下２つに分かれて配置されることになる。これにより、ここでは、特許文献１に示されたサブ熱交換部が下部にすべてまとめて配置された熱交換器とは異なり、暖房運転時に霜が付着する場所を熱交換器の下部以外にも分散させてサブ熱交換部に付着する霜の量を減らすことができるため、除霜運転時にサブ熱交換部に付着した霜を融かすための時間を短縮して、サブ熱交換部における霜の融け残りの発生や除霜が不十分になることを抑えることができる。しかも、ここでは、上記の複数の熱交換部の構成・配置によって、第２熱交換部群においてメイン熱交換部とサブ熱交換部とが隣り合う箇所が１箇所になる。これにより、ここでは、特許文献２に示されたメイン熱交換部とサブ熱交換部とが上下に１つずつ隣り合うように配置された熱交換器とは異なり、メイン熱交換部とサブ熱交換部とが隣り合う箇所を減らすことができるため、メイン熱交換部とサブ熱交換部との間で発生する熱ロスを減らして、冷房運転時の放熱性能の低下を抑えることができる。
【０００９】
このように、ここでは、サブ熱交換部が下部にすべてまとめて配置されることを避けるとともに、メイン熱交換部とサブ熱交換部とが上下に隣り合う箇所を減らした構成の熱交換器を、冷房運転、暖房運転及び除霜運転を切り換えて行う空気調和装置に採用することによって、熱交換器全体として、サブ熱交換部に付着する霜の量を減らすとともに、メイン熱交換部とサブ熱交換部との間で発生する熱ロスを減らすことができる。
【００１０】
第２の観点にかかる熱交換器は、第１の観点にかかる熱交換器において、第１熱交換部群が、熱交換部のうち２つ以下の熱交換部を有している。第１熱交換部群は、第１熱交換部群を構成するメイン熱交換部がすべて上下に隣り合うように配置された第１メイン熱交換部群と、第１熱交換部群を構成するサブ熱交換部がすべて上下に隣り合うように配置された第１サブ熱交換部群と、を有している。
【００１１】
ここでは、上記の第１熱交換部群の構成・配置によって、第１熱交換部群においてサブ熱交換部がまとめて配置される数を制限しつつ、第１熱交換部群においてメイン熱交換部とサブ熱交換部とが隣り合う箇所を１箇所に減らすことができる。これにより、ここでは、第１熱交換部群において、サブ熱交換部に付着する霜の量を減らすとともに、メイン熱交換部とサブ熱交換部との間で発生する熱ロスを減らすことができる。
【００１２】
第３の観点にかかる熱交換器は、第２の観点にかかる熱交換器において、第１熱交換部群が、熱交換部のうち１つの熱交換部を有している。
【００１３】
ここでは、上記のように、第１熱交換部群においてサブ熱交換部が配置される数を１つに制限しているため、第１熱交換部群において、サブ熱交換部に付着する霜の量を確実に減らすことができる。
【００１４】
第４の観点にかかる熱交換器は、第１〜第３の観点のいずれかにかかる熱交換器において、第２熱交換部群が、熱交換部のうち第１熱交換部群よりも上側に配置された５つ以下の熱交換部を有している。
【００１５】
ここでは、上記のように、第２熱交換部群においてサブ熱交換部がまとめて配置される数を５つ以下に制限しているため、第２熱交換部群を構成する各熱交換部への冷媒の分流性能、特に、暖房運転時における分流性能を良好に維持することができる。
【００１６】
第５の観点にかかる熱交換器は、第１〜第４の観点のいずれかにかかる熱交換器において、熱交換部のうち第２熱交換部群よりも上側に配置された少なくとも２つの熱交換部が、第３熱交換部群を構成している。第３熱交換部群は、第３熱交換部群を構成するメイン熱交換部がすべて上下に隣り合うように配置された第３メイン熱交換部群と、第３熱交換部群を構成するサブ熱交換部がすべて上下に隣り合うように配置された第３サブ熱交換部群と、を有している。第３サブ熱交換部群は、第３メイン熱交換部群の下側に隣り合うように配置されるとともに、第２メイン熱交換部群の上側に隣り合うように配置されている。
【００１７】
ここでは、上記の複数の熱交換部の構成・配置によって、第３熱交換部群を構成する第３メイン熱交換部群、第３熱交換部群を構成する第３サブ熱交換部群、第２熱交換部群を構成する第２メイン熱交換部群、第２熱交換部群を構成する第２サブ熱交換部群、及び、第１熱交換部群を構成するメイン熱交換部が、上から順に配置されることになる。すなわち、ここでは、複数のサブ熱交換部が、第１熱交換部群を構成するメイン熱交換部及び第２熱交換部群を構成する第２メイン熱交換部群を介して、上下３つに分かれて配置されることになる。これにより、ここでは、特許文献１に示されたサブ熱交換部が下部にすべてまとめて配置された熱交換器とは異なり、暖房運転時に霜が付着する場所を熱交換器の下部以外にも分散させてサブ熱交換部に付着する霜の量を減らすことができるため、除霜運転時にサブ熱交換部に付着した霜を融かすための時間を短縮して、サブ熱交換部における霜の融け残りの発生や除霜が不十分となることを抑えることができる。しかも、ここでは、上記の複数の熱交換部の構成・配置によって、第２熱交換部群においてメイン熱交換部とサブ熱交換部とが隣り合う箇所、及び、第３熱交換部群においてメイン熱交換部とサブ熱交換部とが隣り合う箇所がそれぞれ１箇所になる。これにより、ここでは、特許文献２に示されたメイン熱交換部とサブ熱交換部とが上下に１つずつ隣り合うように配置された熱交換器とは異なり、メイン熱交換部とサブ熱交換部とが隣り合う箇所を減らすことができるため、メイン熱交換部とサブ熱交換部との間で発生する熱ロスを減らして、冷房運転時の放熱性能の低下を抑えることができる。
【００１８】
第６の観点にかかる熱交換器は、第５の観点にかかる熱交換器において、第３熱交換部群が、熱交換部のうち第２熱交換部群よりも上側に配置された５つ以下の熱交換部を有している。
【００１９】
ここでは、上記のように、第３熱交換部群においてサブ熱交換部がまとめて配置される数を５つ以下に制限しているため、第３熱交換部群を構成する各熱交換部への冷媒の分流性能、特に、暖房運転時における分流性能を良好に維持することができる。
【発明の効果】
【００２０】
以上の説明に述べたように、本発明によれば、サブ熱交換部が下部にすべてまとめて配置されることを避けるとともに、メイン熱交換部とサブ熱交換部とが上下に隣り合う箇所を減らした構成の熱交換器を、冷房運転、暖房運転及び除霜運転を切り換えて行う空気調和装置に採用することによって、熱交換器全体として、サブ熱交換部に付着する霜の量を減らすとともに、メイン熱交換部とサブ熱交換部との間で発生する熱ロスを減らすことができる。
【図面の簡単な説明】
【００２１】
【図１】本発明の一実施形態にかかる熱交換器としての室外熱交換器が採用された空気調和装置の概略構成図である。
【図２】室外ユニットの外観斜視図である。
【図３】室外ユニットの正面図（室外熱交換器以外の冷媒回路構成部品を除いて図示）である。
【図４】室外熱交換器の概略斜視図である。
【図５】図４の熱交換部の部分拡大斜視図である。
【図６】室外熱交換器の概略構成図である。
【図７】室外熱交換器の概略構成を一覧表化した図である。
【図８】変形例＜Ａ＞にかかる室外熱交換器の概略構成を一覧表化した図である。
【図９】変形例＜Ｂ＞にかかる室外熱交換器の概略構成を一覧表化した図である。
【図１０】変形例＜Ｂ＞にかかる室外熱交換器の概略構成を一覧表化した図である。
【図１１】変形例＜Ｂ＞にかかる室外熱交換器の概略構成を一覧表化した図である。
【図１２】変形例＜Ｂ＞にかかる室外熱交換器の概略構成を一覧表化した図である。
【図１３】変形例＜Ｃ＞にかかる室外熱交換器の概略構成を一覧表化した図である。
【図１４】変形例＜Ｃ＞にかかる室外熱交換器の概略構成を一覧表化した図である。
【図１５】変形例＜Ｄ＞にかかる室外熱交換器の概略構成を一覧表化した図である。
【発明を実施するための形態】
【００２２】
以下、本発明にかかる熱交換器の実施形態及びその変形例について、図面に基づいて説明する。尚、本発明にかかる熱交換器の具体的な構成は、下記の実施形態及びその変形例に限られるものではなく、発明の要旨を逸脱しない範囲で変更可能である。
【００２３】
（１）空気調和装置の構成
図１は、本発明の一実施形態にかかる熱交換器としての室外熱交換器１１が採用された空気調和装置１の概略構成図である。
【００２４】
空気調和装置１は、蒸気圧縮式の冷凍サイクルを行うことによって、建物等の室内の冷房及び暖房を行うことが可能な装置である。空気調和装置１は、主として、室外ユニット２と、室内ユニット３ａ、３ｂと、室外ユニット２と室内ユニット３ａ、３ｂとを接続する液冷媒連絡管４及びガス冷媒連絡管５と、室外ユニット２及び室内ユニット３ａ、３ｂの構成機器を制御する制御部２３と、を有している。そして、空気調和装置１の蒸気圧縮式の冷媒回路６は、室外ユニット２と、室内ユニット３ａ、３ｂとが冷媒連絡管４、５を介して接続されることによって構成されている。
【００２５】
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、を有している。各機器及び弁間は、冷媒管１６〜２２によって接続されている。
【００２６】
室内ユニット３ａ、３ｂは、室内（居室や天井裏空間等）に設置されており、冷媒回路６の一部を構成している。室内ユニット３ａは、主として、室内膨張弁３１ａと、室内熱交換器３２ａと、室内ファン３３ａと、を有している。室内ユニット３ｂは、主として、膨張機構としての室内膨張弁３１ｂと、室内熱交換器３２ｂと、室内ファン３３ｂと、を有している。
【００２７】
冷媒連絡管４、５は、空気調和装置１を建物等の設置場所に設置する際に、現地にて施工される冷媒管である。液冷媒連絡管４の一端は、室内ユニット２の液側閉鎖弁１３に接続され、液冷媒連絡管４の他端は、室内ユニット３ａ、３ｂの室内膨張弁３１ａ、３１ｂの液側端に接続されている。ガス冷媒連絡管５の一端は、室内ユニット２のガス側閉鎖弁１４に接続され、ガス冷媒連絡管５の他端は、室内ユニット３ａ、３ｂの室内熱交換器３２ａ、３２ｂのガス側端に接続されている。
【００２８】
制御部２３は、室外ユニット２や室内ユニット３ａ、３ｂに設けられた制御基板等（図示せず）が通信接続されることによって構成されている。尚、図１においては、便宜上、室外ユニット２や室内ユニット３ａ、３ｂとは離れた位置に図示している。制御部２３は、空気調和装置１（ここでは、室外ユニット２や室内ユニット３ａ、３ｂ）の構成機器８、１０、１２、１５、３１ａ、３１ｂ、３３ａ、３３ｂの制御、すなわち、空気調和装置１全体の運転制御を行うようになっている。
【００２９】
（２）空気調和装置の動作
次に、図１を用いて、空気調和装置１の動作について説明する。空気調和装置１では、圧縮機８、室外熱交換器１１、室外膨張弁１２及び室内膨張弁３１ａ、３１ｂ、室内熱交換器３２ａ、３２ｂの順に冷媒を循環させる冷房運転と、圧縮機８、室内熱交換器３２ａ、３２ｂ、室内膨張弁３１ａ、３１ｂ及び室外膨張弁１２、室外熱交換器１１の順に冷媒を循環させる暖房運転と、が行われる。また、暖房運転時においては、室外熱交換器１１に付着した霜を融解させるための除霜運転が行われる。ここでは、冷房運転時と同様に、圧縮機８、室外熱交換器１１、室外膨張弁１２及び室内膨張弁３１ａ、３１ｂ、室内熱交換器３２ａ、３２ｂの順に冷媒を循環させる逆サイクル除霜運転が行われる。尚、冷房運転、暖房運転及び除霜運転は、制御部２３によって行われる。
【００３０】
冷房運転時には、四路切換弁１０が室外放熱状態（図１の実線で示される状態）に切り換えられる。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。室外熱交換器１１において放熱した高圧の液冷媒は、室外膨張弁１２、液側閉鎖弁１３及び液冷媒連絡管４を通じて、室内膨張弁３１ａ、３１ｂに送られる。室内膨張弁３１ａ、３１ｂに送られた冷媒は、室内膨張弁３１ａ、３１ｂによって冷凍サイクルの低圧まで減圧されて、低圧の気液二相状態の冷媒になる。室内膨張弁３１ａ、３１ｂで減圧された低圧の気液二相状態の冷媒は、室内熱交換器３２ａ、３２ｂに送られる。室内熱交換器３２ａ、３２ｂに送られた低圧の気液二相状態の冷媒は、室内熱交換器３２ａ、３２ｂにおいて、室内ファン３３ａ、３３ｂによって加熱源として供給される室内空気と熱交換を行って蒸発する。これにより、室内空気は冷却され、その後に、室内に供給されることで室内の冷房が行われる。室内熱交換器３２ａ、３２ｂにおいて蒸発した低圧のガス冷媒は、ガス冷媒連絡管５、ガス側閉鎖弁１４、四路切換弁１０及びアキュムレータ７を通じて、再び、圧縮機８に吸入される。
【００３１】
暖房運転時には、四路切換弁１０が室外蒸発状態（図１の破線で示される状態）に切り換えられる。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４及びガス冷媒連絡管５を通じて、室内熱交換器３２ａ、３２ｂに送られる。室内熱交換器３２ａ、３２ｂに送られた高圧のガス冷媒は、室内熱交換器３２ａ、３２ｂにおいて、室内ファン３３ａ、３３ｂによって冷却源として供給される室内空気と熱交換を行って放熱して、高圧の液冷媒になる。これにより、室内空気は加熱され、その後に、室内に供給されることで室内の暖房が行われる。室内熱交換器３２ａ、３２ｂで放熱した高圧の液冷媒は、室内膨張弁３１ａ、３１ｂ、液冷媒連絡管４及び液側閉鎖弁１３を通じて、室外膨張弁１２に送られる。室外膨張弁１２に送られた冷媒は、室外膨張弁１２によって冷凍サイクルの低圧まで減圧されて、低圧の気液二相状態の冷媒になる。室外膨張弁１２で減圧された低圧の気液二相状態の冷媒は、室外熱交換器１１に送られる。室外熱交換器１１に送られた低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。室外熱交換器１１で蒸発した低圧の冷媒は、四路切換弁１０及びアキュムレータ７を通じて、再び、圧縮機８に吸入される。
【００３２】
上記の暖房運転時において、室外熱交換器１１における冷媒の温度が所定温度よりも低くなる等によって室外熱交換器１１における着霜が検知された場合、すなわち、室外熱交換器１１の除霜を開始する条件に達した場合には、室外熱交換器１１に付着した霜を融解させる除霜運転を行う。
【００３３】
除霜運転は、冷房運転時と同様に、四路切換弁２２を室外放熱状態（図１の実線で示される状態）に切り換えて室外熱交換器１１を冷媒の放熱器として機能させることによって行われる。これにより、室外熱交換器１１に付着した霜を融解させることができる。除霜運転は、除霜前における暖房運転の状態等を考慮して設定された除霜時間が経過するまで、又は、室外熱交換器１１における冷媒の温度が所定温度よりも高くなる等によって室外熱交換器１１における除霜が完了したものと判定されるまで、行われ、その後、暖房運転に復帰する。尚、除霜運転時の冷媒回路１０における冷媒の流れは、冷房運転と同様であるため、ここでは説明を省略する。
【００３４】
（３）室外ユニットの構成
図２は、室外ユニット２の外観斜視図である。図３は、室外ユニット２の正面図（室外熱交換器１１以外の冷媒回路構成部品を除いて図示）である。図４は、室外熱交換器１１の概略斜視図である。図５は、図４の熱交換部６０Ａ〜６０Ｉの部分拡大図である。図６は、室外熱交換器１１の概略構成図である。図７は、室外熱交換器１１の概略構成を一覧表化した図である。
【００３５】
＜全体＞
室外ユニット２は、ケーシング４０の側面から空気を吸い込んでケーシング４０の天面から空気を吹き出す上吹き型の熱交換ユニットである。室外ユニット２は、主として、略直方体箱状のケーシング４０と、送風機としての室外ファン１５と、圧縮機や室外熱交換器等の機器７、８、１１、四路切換弁や室外膨張弁等の弁１０、１２〜１４及び冷媒管１６〜２２等を含み冷媒回路６の一部を構成する冷媒回路構成部品と、を有している。尚、以下の説明において、「上」、「下」、「左」、「右」、「前」、「後」、「前面」、「背面」は、特にことわりのない限り、図２に示される室外ユニット２を前方（図面の左斜前側）から見た場合の方向を意味している。
【００３６】
ケーシング４０は、主として、左右方向に延びる一対の据付脚４１上に架け渡される底フレーム４２と、底フレーム４２の角部から鉛直方向に延びる支柱４３と、支柱４３の上端に取り付けられるファンモジュール４４と、前面パネル４５と、を有しており、側面（ここでは、背面及び左右両側面）に空気の吸込口４０ａ、４０ｂ、４０ｃと天面に空気の吹出口４０ｄとが形成されている。
【００３７】
底フレーム４２は、ケーシング４０の底面を形成しており、底フレーム４２上には、室外熱交換器１１が設けられている。ここで、室外熱交換器１１は、ケーシング４０の背面及び左右両側面に面する平面視略Ｕ字形状の熱交換器であり、ケーシング４０の背面及び左右両側面を実質的に形成している。また、底フレーム４２は、室外熱交換器１１の下端部分に接しており、冷房運転や除霜運転時に室外熱交換器１１において発生するドレン水を受けるドレンパンとして機能する。
【００３８】
室外熱交換器１１の上側には、ファンモジュール４４が設けられており、ケーシング４０の前面、背面及び左右両面の支柱４３よりも上側の部分と、ケーシング４０の天面と、を形成している。ここで、ファンモジュール４４は、上面及び下面が開口した略直方体形状の箱体に室外ファン１５が収容された集合体である。ファンモジュール４４の天面の開口は、吹出口４０ｄであり、吹出口４０ｄには、吹出グリル４６が設けられている。室外ファン１５は、ケーシング４０内において吹出口４０ｄに面して配置されており、空気を吸込口４０ａ、４０ｂ、４０ｃからケーシング４０内に取り込んで吹出口４０ｄから排出させる送風機である。
【００３９】
前面パネル４５は、前面側の支柱４３間に架け渡されており、ケーシング４０の前面を形成している。
【００４０】
ケーシング４０内には、室外ファン１５及び室外熱交換器１１以外の冷媒回路構成部品（図２においては、アキュムレータ７及び圧縮機８を図示）も収容されている。ここで、圧縮機８及びアキュムレータ７は、底フレーム４２上に設けられている。
【００４１】
このように、室外ユニット２は、側面（ここでは、背面及び左右両側面）に空気の吸込口４０ａ、４０ｂ、４０ｃと天面に空気の吹出口４０ｄとが形成されたケーシング４０と、ケーシング４０内において吹出口４０ｄに面して配置された室外ファン１５と、ケーシング４０内において室外ファン１５の下側に配置された室外熱交換器１１と、を有している。
【００４２】
＜室外熱交換器＞
室外熱交換器１１は、冷媒と室外空気との熱交換を行う熱交換器であり、主として、第１ヘッダ集合管８０と、第２ヘッダ集合管９０と、複数の扁平管６３と、複数のフィン６４と、を有している。ここでは、第１ヘッダ集合管８０、第２ヘッダ集合管９０、扁平管６３及びフィン６４のすべてが、アルミニウムまたはアルミニウム合金で形成されており、互いにロウ付け等によって接合されている。
【００４３】
第１ヘッダ集合管８０及び第２ヘッダ集合管９０はいずれも、上端及び下端が閉じた縦長中空の円筒形状の部材である。第１ヘッダ集合管８０は、室外熱交換器１１の一端側（ここでは、図４の左前端側、又は、図６の左端側）に立設されており、第２ヘッダ集合管９０は、室外熱交換器１１の他端側（ここでは、図４の右前端側、又は、図６の右端側）に立設されている。
【００４４】
扁平管６３は、伝熱面となる鉛直方向を向く平面部６３ａと、内部に形成された冷媒が流れる多数の小さな通路６３ｂと、を有する扁平多穴管である。扁平管６３は、上下に複数配列されており、両端が第１ヘッダ集合管８０及び第２ヘッダ集合管９０に接続されている。フィン６４は、隣り合う扁平管６３の間を空気が流れる複数の通風路に区画しており、複数の扁平管６３を差し込めるように、水平に細長く延びる複数の切り欠き６４ａが形成されている。フィン６４の切り欠き６４ａの形状は、扁平管６３の断面の外形にほぼ一致している。
【００４５】
室外熱交換器１１では、複数の扁平管６３が上下に並ぶ複数（ここでは、９個）の熱交換部６０Ａ〜６０Ｉに区分されている。各熱交換部６０Ａ〜６０Ｉは、メイン熱交換部６１Ａ〜６１Ｉと、メイン熱交換部６１Ａ〜６１Ｉと異なる上下位置においてメイン熱交換部６１Ａ〜６１Ｉに直列に接続されたサブ熱交換部６２Ａ〜６２Ｉと、を有している。具体的には、第１熱交換部６０Ａは、最下段の扁平管６３Ａを含む熱交換部であり、最下段の第１熱交換部群５０Ａを構成している。第１熱交換部６０Ａは、最下段の扁平管６３Ａを含む１１本の扁平管６３を有している。第１熱交換部６０Ａを構成する１１本の扁平管６３のうち上から８本の扁平管６３は、第１メイン熱交換部６１Ａを構成している。第１メイン熱交換部６１Ａは、第１メイン熱交換部群５１Ａを構成している。第１熱交換部６０Ａを構成する１１本の扁平管６３のうち最下段の扁平管６３Ａを含む残り３本の扁平管６３は、第１サブ熱交換部６２Ａを構成している。第１サブ熱交換部６２Ａは、第１サブ熱交換部群５２Ａを構成している。また、第２〜第５熱交換部６０Ｂ〜６０Ｅは、第１熱交換部６０Ａよりも上側に配置された熱交換部であり、第１熱交換部群５０Ａよりも上側に配置された第２熱交換部群５０Ｂを構成している。第２熱交換部６０Ｂは、９本の扁平管６３を有しており、第３熱交換部６０Ｃは、１１本の扁平管６３を有しており、第４熱交換部６０Ｄは、１２本の扁平管６３を有しており、第５熱交換部６０Ｅは、１２本の扁平管６３を有している。第２〜第５熱交換部６０Ｂ〜６０Ｅを構成する４４本の扁平管６３のうち上から２９本の扁平管６３は、第２〜第５メイン熱交換部６１Ｂ〜６１Ｅを構成している。第２〜第５メイン熱交換部６１Ｂ〜６１Ｅは、すべて上下に隣り合うように配置されており、第２メイン熱交換部群５１Ｂを構成している。第２〜第５熱交換部６０Ｂ〜６０Ｅを構成する４４本の扁平管６３のうち残り１５本の扁平管６３は、第２〜第５サブ熱交換部６２Ｂ〜６２Ｅを構成している。第２〜第５サブ熱交換部６２Ｂ〜６２Ｅは、すべて上下に隣り合うように配置されており、第２サブ熱交換部群５２Ｂを構成している。第２サブ熱交換部群５２Ｂは、第２メイン熱交換部群５１Ｂの下側に隣り合うように配置されるとともに、第１熱交換部群５０Ａを構成するメイン熱交換部６０Ａの上側に隣り合うように配置されている。また、第６〜第９熱交換部６０Ｆ〜６０Ｉは、第２熱交換部６０Ｂ〜第５熱交換部６０Ｅよりも上側に配置された熱交換部であり、第２熱交換部群５０Ｂよりも上側に配置された第３熱交換部群５０Ｃを構成している。第６熱交換部６０Ｆは、７本の扁平管６３を有しており、第７熱交換部６０Ｇは、８本の扁平管６３を有しており、第８熱交換部６０Ｈは、８本の扁平管６３を有しており、第９熱交換部６０Ｉは、９本の扁平管６３を有している。第６〜第９熱交換部６０Ｆ〜６０Ｉを構成する３２本の扁平管６３のうち上から２１本の扁平管６３は、第６〜第９メイン熱交換部６１Ｆ〜６１Ｉを構成している。第６〜第９メイン熱交換部６１Ｆ〜６１Ｉは、すべて上下に隣り合うように配置されており、第３メイン熱交換部群５１Ｃを構成している。第６〜第９熱交換部６０Ｆ〜６０Ｉを構成する３２本の扁平管６３のうち残り１１本の扁平管６３は、第６〜第９サブ熱交換部６２Ｆ〜６２Ｉを構成している。第６〜第９サブ熱交換部６２Ｆ〜６２Ｉは、すべて上下に隣り合うように配置されており、第３サブ熱交換部群５２Ｃを構成している。第３サブ熱交換部群５２Ｃは、第３メイン熱交換部群５１Ｃの下側に隣り合うように配置されるとともに、第２熱交換部群５０Ｂ（ここでは、第２メイン熱交換部６０Ｂ）の上側に隣り合うように配置されている。
【００４６】
第１ヘッダ集合管８０は、その内部空間が仕切板８１によって上下に仕切られることによって、各メイン熱交換部６１Ａ〜６１Ｉに対応するガス側出入口連通空間８２Ａ〜８２Ｉと、各サブ熱交換部６２Ａ〜６２Ｉに対応する液側出入口連通空間８３Ａ〜８３Ｉと、が形成されている。そして、第１ガス側出入口連通空間８２Ａは、第１メイン熱交換部群５１Ａを構成する８本の扁平管６３（第１メイン熱交換部６１Ａを構成する扁平管６３）に連通し、第１液側出入口連通空間８３Ａは、第１サブ熱交換部群５２Ａを構成する最下段の扁平管６３Ａを含む３本の扁平管６３（第１メイン熱交換部６１Ａを構成する扁平管６３）に連通している。第２ガス側出入口連通空間８２Ｂは、第２メイン熱交換部群５１Ｂを構成する２９本の扁平管６３のうち上から６本（第２メイン熱交換部６１Ｂを構成する扁平管６３）に連通し、第２液側出入口連通空間８３Ｂは、第２サブ熱交換部群５１Ｂを構成する１５本の扁平管６３のうち下から３本（第２サブ熱交換部６２Ｂを構成する扁平管６３）に連通している。第３ガス側出入口連通空間８２Ｃは、第２メイン熱交換部群５１Ｂを構成する２９本の扁平管６３のうち第２メイン熱交換部６１Ｂを構成する扁平管６３よりも下側の７本（第３メイン熱交換部６１Ｃを構成する扁平管６３）に連通し、第３液側出入口連通空間８３Ｃは、第２サブ熱交換部群５１Ｂを構成する１５本の扁平管６３のうち第２サブ熱交換部６２Ｂを構成する扁平管６３よりも上側の４本（第３サブ熱交換部６２Ｃを構成する扁平管６３）に連通している。第４ガス側出入口連通空間８２Ｄは、第２メイン熱交換部群５１Ｂを構成する２９本の扁平管６３のうち第３メイン熱交換部６１Ｃを構成する扁平管６３よりも下側の８本（第４メイン熱交換部６１Ｄを構成する扁平管６３）に連通し、第４液側出入口連通空間８３Ｄは、第２サブ熱交換部群５１Ｂを構成する１５本の扁平管６３のうち第３サブ熱交換部６２Ｃを構成する扁平管６３よりも上側の４本（第４サブ熱交換部６２Ｄを構成する扁平管６３）に連通している。第５ガス側出入口連通空間８２Ｅは、第２メイン熱交換部群５１Ｂを構成する２９本の扁平管６３のうち第４メイン熱交換部６１Ｄを構成する扁平管６３よりも下側の８本（第５メイン熱交換部６１Ｅを構成する扁平管６３）に連通し、第５液側出入口連通空間８３Ｅは、第２サブ熱交換部群５１Ｂを構成する１５本の扁平管６３のうち第４サブ熱交換部６２Ｄを構成する扁平管６３よりも上側の４本（第５サブ熱交換部６２Ｅを構成する扁平管６３）に連通している。第６ガス側出入口連通空間８２Ｆは、第３メイン熱交換部群５１Ｃを構成する２１本の扁平管６３のうち上から５本（第６メイン熱交換部６１Ｆを構成する扁平管６３）に連通し、第６液側出入口連通空間８３Ｆは、第３サブ熱交換部群５１Ｃを構成する１１本の扁平管６３のうち下から２本（第６サブ熱交換部６２Ｆを構成する扁平管６３）に連通している。第７ガス側出入口連通空間８２Ｇは、第３メイン熱交換部群５１Ｃを構成する２１本の扁平管６３のうち第６メイン熱交換部６１Ｃを構成する扁平管６３よりも下側の５本（第７メイン熱交換部６１Ｇを構成する扁平管６３）に連通し、第７液側出入口連通空間８３Ｇは、第３サブ熱交換部群５１Ｃを構成する１１本の扁平管６３のうち第６サブ熱交換部６２Ｆを構成する扁平管６３よりも上側の３本（第７サブ熱交換部６２Ｇを構成する扁平管６３）に連通している。第８ガス側出入口連通空間８２Ｈは、第３メイン熱交換部群５１Ｃを構成する２１本の扁平管６３のうち第７メイン熱交換部６１Ｇを構成する扁平管６３よりも下側の５本（第８メイン熱交換部６１Ｈを構成する扁平管６３）に連通し、第８液側出入口連通空間８３Ｈは、第２サブ熱交換部群５１Ｃを構成する１１本の扁平管６３のうち第７サブ熱交換部６２Ｇを構成する扁平管６３よりも上側の３本（第８サブ熱交換部６２Ｈを構成する扁平管６３）に連通している。第９ガス側出入口連通空間８２Ｉは、第３メイン熱交換部群５１Ｃを構成する２１本の扁平管６３のうち第８メイン熱交換部６１Ｈを構成する扁平管６３よりも下側の６本（第９メイン熱交換部６１Ｉを構成する扁平管６３）に連通し、第９液側出入口連通空間８３Ｉは、第３サブ熱交換部群５１Ｃを構成する１１本の扁平管６３のうち第８サブ熱交換部６２Ｈを構成する扁平管６３よりも上側の３本（第９サブ熱交換部６２Ｉを構成する扁平管６３）に連通している。
【００４７】
また、第１ヘッダ集合管８０には、暖房運転時に室外膨張弁１２（図１参照）から送られる冷媒を各液側出入口連通空間８３Ａ〜８３Ｉに分流して送る液側分流部材７０と、冷房運転時に圧縮機８（図１参照）から送られる冷媒を各ガス側出入口連通空間８２Ａ〜８２Ｉに分流して送るガス側分流部材７５と、が接続されている。
【００４８】
液側分流部材７０は、冷媒管２０（図１参照）に接続される液側冷媒分流器７１と、液側冷媒分流器７１から延びており各液側出入口連通空間８３Ａ〜８３Ｉに接続される液側冷媒分流管７２Ａ〜７２Ｉと、を有している。ここで、液側冷媒分流管７２Ａ〜７２Ｉは、キャピラリチューブを有しており、サブ熱交換部６２Ａ〜６２Ｉへの分流比率に応じた長さや内径のものが使用されている。
【００４９】
ガス側分流部材７５は、冷媒管１９（図１参照）に接続されるガス側冷媒分流母管７６と、ガス側冷媒分流母管７６から延びており各ガス側出入口連通空間８２Ａ〜８２Ｉに接続されるガス側冷媒分流枝管７７Ａ〜７７Ｉと、を有している。
【００５０】
第２ヘッダ集合管９０は、その内部空間が仕切板９１によって上下に仕切られることによって、各第１、第５及び第９熱交換部６０Ａ、６０Ｅ、６０Ｉに対応する折り返し連通空間９２Ａ、９２Ｅ、９２Ｉと、各メイン熱交換部６１Ｂ〜６１Ｄ、６１Ｆ〜６１Ｈに対応するメイン側連通空間９３Ｂ〜９３Ｄ、９３Ｆ〜９３Ｈと、各サブ熱交換部６２Ｂ〜６２Ｄ、６２Ｆ〜６２Ｈに対応するサブ側連通空間９４Ｂ〜９４Ｄ、９４Ｆ〜９４Ｈと、が形成されている。また、第２ヘッダ集合管９０には、複数（ここでは、６本）の連通管９５Ｂ〜９５Ｄ、９５Ｆ〜９５Ｈが接続されている。そして、第１折り返し連通空間９２Ａは、第１熱交換部６０Ａを構成する１１本の扁平管６３のすべてに連通しており、第５折り返し連通空間９２Ｅは、第５熱交換部６０Ｅを構成する１２本の扁平管６３のすべてに連通しており、第９折り返し連通空間９２Ｉは、第９熱交換部６０Ｉを構成する９本の扁平管６３のすべてに連通している。第２メイン側連通空間９３Ｂは、第２メイン熱交換部６１Ｂを構成する８本の扁平管６３に連通しており、第２サブ側連通空間９４Ｂは、第２サブ熱交換部６２Ｂを構成する３本の扁平管６３に連通しており、第２連通管９５Ｂは、第２メイン側連通空間９３Ｂと第２サブ側連通空間９４Ｂとを連通させている。第３メイン側連通空間９３Ｃは、第３メイン熱交換部６１Ｃを構成する７本の扁平管６３に連通しており、第３サブ側連通空間９４Ｃは、第３サブ熱交換部６２Ｃを構成する４本の扁平管６３に連通しており、第３連通管９５Ｃは、第３メイン側連通空間９３Ｃと第３サブ側連通空間９４Ｃとを連通させている。第４メイン側連通空間９３Ｄは、第４メイン熱交換部６１Ｃを構成する８本の扁平管６３に連通しており、第４サブ側連通空間９４Ｄは、第４サブ熱交換部６２Ｄを構成する４本の扁平管６３に連通しており、第４連通管９５Ｄは、第４メイン側連通空間９３Ｄと第４サブ側連通空間９４Ｄとを連通させている。第６メイン側連通空間９３Ｆは、第６メイン熱交換部６１Ｆを構成する５本の扁平管６３に連通しており、第６サブ側連通空間９４Ｆは、第６サブ熱交換部６２Ｆを構成する２本の扁平管６３に連通しており、第６連通管９５Ｆは、第６メイン側連通空間９３Ｆと第６サブ側連通空間９４Ｆとを連通させている。第７メイン側連通空間９３Ｇは、第７メイン熱交換部６１Ｇを構成する５本の扁平管６３に連通しており、第７サブ側連通空間９４Ｇは、第７サブ熱交換部６２Ｇを構成する３本の扁平管６３に連通しており、第７連通管９５Ｇは、第７メイン側連通空間９３Ｇと第７サブ側連通空間９４Ｇとを連通させている。第８メイン側連通空間９３Ｈは、第８メイン熱交換部６１Ｈを構成する５本の扁平管６３に連通しており、第８サブ側連通空間９４Ｈは、第８サブ熱交換部６２Ｈを構成する３本の扁平管６３に連通しており、第８連通管９５Ｈは、第８メイン側連通空間９３Ｈと第８サブ側連通空間９４Ｈとを連通させている。尚、第２ヘッダ集合管９０の内部空間は、上記のように、仕切板９１によって仕切られただけの構成に限定されるものではなく、第２ヘッダ集合管９０内における冷媒の流れ状態を良好に維持するための工夫がなされた構成であってもよい。
【００５１】
これにより、第１熱交換部６０Ａは、第１ガス側出入口連通空間８２Ａに連通する第１メイン熱交換部６１Ａを構成する８本の扁平管６３と、第１液側出入口連通空間８３Ａに連通する第１サブ熱交換部６２Ａを構成する最下段の扁平管６３Ａを含む３本の扁平管６３と、が第１折り返し連通空間９２Ａを通じて直列に接続された構成を有している。第２熱交換部６０Ｂは、第２ガス側出入口連通空間８２Ｂに連通する第２メイン熱交換部６１Ｂを構成する６本の扁平管６３と、第２液側出入口連通空間８３Ｂに連通する第２サブ熱交換部６２Ｂを構成する３本の扁平管６３と、が第２メイン側連通空間９３Ｂ、第２サブ側連通空間９４Ｂ及び第２連通管９５Ｂを通じて直列に接続された構成を有している。第３熱交換部６０Ｃは、第３ガス側出入口連通空間８２Ｃに連通する第３メイン熱交換部６１Ｃを構成する７本の扁平管６３と、第３液側出入口連通空間８３Ｃに連通する第３サブ熱交換部６２Ｃを構成する４本の扁平管６３と、が第３メイン側連通空間９３Ｃ、第３サブ側連通空間９４Ｃ及び第３連通管９５Ｃを通じて直列に接続された構成を有している。第４熱交換部６０Ｄは、第４ガス側出入口連通空間８２Ｄに連通する第４メイン熱交換部６１Ｄを構成する８本の扁平管６３と、第４液側出入口連通空間８３Ｄに連通する第４サブ熱交換部６２Ｄを構成する４本の扁平管６３と、が第４メイン側連通空間９３Ｄ、第４サブ側連通空間９４Ｄ及び第４連通管９５Ｄを通じて直列に接続された構成を有している。第５熱交換部６０Ｅは、第５ガス側出入口連通空間８２Ｅに連通する第５メイン熱交換部６１Ｅを構成する８本の扁平管６３と、第５液側出入口連通空間８３Ｅに連通する第５サブ熱交換部６２Ｅを構成する４本の扁平管６３と、が第５折り返し連通空間９２Ｅを通じて直列に接続された構成を有している。第６熱交換部６０Ｆは、第６ガス側出入口連通空間８２Ｆに連通する第６メイン熱交換部６１Ｆを構成する５本の扁平管６３と、第６液側出入口連通空間８３Ｆに連通する第６サブ熱交換部６２Ｆを構成する２本の扁平管６３と、が第６メイン側連通空間９３Ｆ、第６サブ側連通空間９４Ｆ及び第６連通管９５Ｆを通じて直列に接続された構成を有している。第７熱交換部６０Ｇは、第７ガス側出入口連通空間８２Ｇに連通する第７メイン熱交換部６１Ｇを構成する５本の扁平管６３と、第７液側出入口連通空間８３Ｇに連通する第７サブ熱交換部６２Ｇを構成する３本の扁平管６３と、が第７メイン側連通空間９３Ｇ、第７サブ側連通空間９４Ｇ及び第７連通管９５Ｇを通じて直列に接続された構成を有している。第８熱交換部６０Ｈは、第８ガス側出入口連通空間８２Ｈに連通する第８メイン熱交換部６１Ｈを構成する５本の扁平管６３と、第８液側出入口連通空間８３Ｈに連通する第８サブ熱交換部６２Ｈを構成する３本の扁平管６３と、が第８メイン側連通空間９３Ｈ、第８サブ側連通空間９４Ｈ及び第８連通管９５Ｈを通じて直列に接続された構成を有している。第９熱交換部６０Ｉは、第９ガス側出入口連通空間８２Ｉに連通する第９メイン熱交換部６１Ｉを構成する６本の扁平管６３と、第９液側出入口連通空間８３Ｉに連通する第９サブ熱交換部６２Ｉを構成する３本の扁平管６３と、が第９折り返し連通空間９２Ｉを通じて直列に接続された構成を有している。
【００５２】
このように、ここでは、上下に配列されるとともに内部に冷媒の通路６３ｂが形成された複数の扁平管６３と、隣り合う扁平管６３の間を空気が流れる複数の通風路に区画する複数のフィン６４と、を有している。扁平管６３は、複数の熱交換部６０Ａ〜６０Ｉに区分されており、各熱交換部６０Ａ〜６０Ｉは、メイン熱交換部６１Ａ〜６１Ｉと、メイン熱交換部６１Ａ〜６１Ｉと異なる上下位置においてメイン熱交換部６１Ａ〜６１Ｉに直列に接続されたサブ熱交換部６２Ａ〜６２Ｉと、を有している。そして、熱交換部６０Ａ〜６０Ｉのうち最下段の扁平管６３Ａを含む熱交換部６０Ａが、第１熱交換部群５０Ａを構成しており、熱交換部６０Ａ〜６０Ｉのうち第１熱交換部群５０Ａよりも上側に配置された少なくとも２つ（ここでは、４つ）の熱交換部６０Ｂ〜６０Ｅが、第２熱交換部群５０Ｂを構成している。第２熱交換部群５０Ｂは、第２熱交換部群５０Ｂを構成するメイン熱交換部６１Ｂ〜６１Ｅがすべて上下に隣り合うように配置された第２メイン熱交換部群５１Ｂと、第２熱交換部群５０Ｂを構成するサブ熱交換部６２Ｂ〜６２Ｅがすべて上下に隣り合うように配置された第２サブ熱交換部群５２Ｂと、を有している。第２サブ熱交換部群５２Ｂは、第２メイン熱交換部群５１Ｂの下側に隣り合うように配置されるとともに、第１熱交換部群５０Ａを構成するメイン熱交換部６１Ａの上側に隣り合うように配置されている。
【００５３】
また、ここでは、熱交換部６０Ａ〜６０Ｉのうち第２熱交換部群６０Ｂ〜６０Ｅよりも上側に配置された少なくとも２つ（ここでは、４つ）の熱交換部６０Ｆ〜６０Ｉが、第３熱交換部群５０Ｃを構成している。第３熱交換部群５０Ｃは、第３熱交換部群５０Ｃを構成するメイン熱交換部６１Ｆ〜６１Ｉがすべて上下に隣り合うように配置された第３メイン熱交換部群５１Ｃと、第３熱交換部群５０Ｃを構成するサブ熱交換部６２Ｆ〜６２Ｉがすべて上下に隣り合うように配置された第３サブ熱交換部群５２Ｃと、を有している。第３サブ熱交換部群５２Ｃは、第３メイン熱交換部群５１Ｃの下側に隣り合うように配置されるとともに、第２メイン熱交換部群５１Ｂの上側に隣り合うように配置されている。
【００５４】
また、ここでは、第１熱交換部群５０Ａが、熱交換部６０Ａ〜６０Ｉのうち１つの熱交換部６０Ａを有している。
【００５５】
次に、上記の構成を有する室外熱交換器１１における冷媒の流れについて説明する。
【００５６】
冷房運転時には、室外熱交換器１１は、圧縮機８（図１参照）から吐出された冷媒の放熱器として機能する。
【００５７】
圧縮機８（図１参照）から吐出された冷媒は、冷媒管１９（図１参照）を通じてガス側分流部材７５に送られる。ガス側分流部材７５に送られた冷媒は、ガス側冷媒分流母管７６から各ガス側冷媒分流枝管７７Ａ〜７７Ｉに分流されて、第１ヘッダ集合管８０の各ガス側出入口連通空間８２Ａ〜８２Ｉに送られる。
【００５８】
各ガス側出入口連通空間８２Ａ〜８２Ｉに送られた冷媒は、対応する熱交換部６０Ａ〜６０Ｉのメイン熱交換部６１Ａ〜６１Ｉを構成する扁平管６３に分流される。各扁平管６３に送られた冷媒は、その通路６３ｂを流れる間に室外空気との熱交換によって放熱して、第２ヘッダ集合管９０の各連通空間９２Ａ、９３Ｂ〜９３Ｄ、９２Ｅ、９３Ｆ〜９３Ｈ、９２Ｉにおいて合流する。すなわち、冷媒は、メイン熱交換部６１Ａ〜６１Ｉを通過するのである。このとき、冷媒は、過熱ガス状態から気液二相状態又は飽和状態に近い液状態になるまで放熱する。
【００５９】
各折り返し連通空間９２Ａ、９２Ｅ、９２Ｉにおいて合流した冷媒は、対応する熱交換部６０Ａ、６０Ｅ、６０Ｉのサブ熱交換部６２Ａ、６２Ｅ、６２Ｉを構成する扁平管６３に分流される。また、各メイン側連通空間９３Ｂ〜９３Ｄ、９３Ｆ〜９３Ｈにおいて合流した冷媒は、対応する連通管９５Ｂ〜９５Ｄ、９５Ｆ〜９５Ｈ及びサブ側連通空間９４Ｂ〜９４Ｄ、９４Ｆ〜９４Ｈを通じて、対応する熱交換部６０Ｂ〜６０Ｄ、６０Ｆ〜６０Ｈのサブ熱交換部６２Ｂ〜６２Ｄ、６２Ｆ〜６２Ｈを構成する扁平管６３に分流される。各扁平管６３に送られた冷媒は、その通路６３ｂを流れる間に室外空気との熱交換によって放熱して、第１ヘッダ集合管８０の各液側出入口連通空間８３Ａ〜８３Ｉにおいて合流する。すなわち、冷媒は、サブ熱交換部６２Ａ〜６２Ｉを通過するのである。このとき、冷媒は、気液二相状態又は飽和状態に近い液状態から過冷却液状態になるまでさらに放熱する。
【００６０】
各液側出入口連通空間８３Ａ〜８３Ｉに送られた冷媒は、液側冷媒分流部材７０の液側冷媒分流管７２Ａ〜７２Ｉに送られて、液側冷媒分流器７１において合流する。液側冷媒分流器７１において合流した冷媒は、冷媒管２０（図１参照）を通じて室外膨張弁１２（図１参照）に送られる。
【００６１】
暖房運転時には、室外熱交換器１１は、室外膨張弁１２（図１参照）において減圧された冷媒の蒸発器として機能する。
【００６２】
室外膨張弁１２において減圧された冷媒は、冷媒管２０（図１参照）を通じて液側冷媒分流部材７０に送られる。液側冷媒分流部材７０に送られた冷媒は、液側冷媒分流器７１から各液側冷媒分流管７２Ａ〜７２Ｉに分流されて、第１ヘッダ集合管８０の各液側出入口連通空間８３Ａ〜８３Ｉに送られる。
【００６３】
各液側出入口連通空間８３Ａ〜８３Ｉに送られた冷媒は、対応する熱交換部６０Ａ〜６０Ｉのサブ熱交換部６２Ａ〜６２Ｉを構成する扁平管６３に分流される。各扁平管６３に送られた冷媒は、その通路６３ｂを流れる間に室外空気との熱交換によって蒸発して、第２ヘッダ集合管９０の各連通空間９２Ａ、９３Ｂ〜９３Ｄ、９２Ｅ、９３Ｆ〜９３Ｈ、９２Ｉにおいて合流する。すなわち、冷媒は、サブ熱交換部６２Ａ〜６２Ｉを通過するのである。このとき、冷媒は、液成分の多い気液二相状態からガス成分の多い気液二相状態又は飽和状態に近いガス状態になるまで蒸発する。
【００６４】
各折り返し連通空間９２Ａ、９２Ｅ、９２Ｉにおいて合流した冷媒は、対応する熱交換部６０Ａ、６０Ｅ、６０Ｉのメイン熱交換部６１Ａ、６１Ｅ、６１Ｉを構成する扁平管６３に分流される。また、各サブ側連通空間９４Ｂ〜９４Ｄ、９４Ｆ〜９４Ｈにおいて合流した冷媒は、対応する連通管９５Ｂ〜９５Ｄ、９５Ｆ〜９５Ｈ及びメイン側連通空間９３Ｂ〜９３Ｄ、９３Ｆ〜９３Ｈを通じて、対応する熱交換部６０Ｂ〜６０Ｄ、６０Ｆ〜６０Ｈのメイン熱交換部６１Ｂ〜６１Ｄ、６１Ｆ〜６１Ｈを構成する扁平管６３に分流される。各扁平管６３に送られた冷媒は、その通路６３ｂを流れる間に室外空気との熱交換によって蒸発して（加熱されて）、第１ヘッダ集合管８０の各ガス側出入口連通空間８２Ａ〜８２Ｉにおいて合流する。すなわち、冷媒は、メイン熱交換部６１Ａ〜６１Ｉを通過するのである。このとき、冷媒は、ガス成分の多い気液二相状態又は飽和状態に近いガス状態から過熱ガス状態になるまでさらに蒸発する（加熱される）。
【００６５】
各ガス側出入口連通空間８２Ａ〜８２Ｉに送られた冷媒は、ガス側冷媒分流部材７５のガス側冷媒分流枝管７７Ａ〜７７Ｉに送られて、ガス側冷媒分流母管７６において合流する。ガス側冷媒分流母管７６において合流した冷媒は、冷媒管１９（図１参照）を通じて圧縮機８（図１参照）の吸入側に送られる。
【００６６】
除霜運転時には、室外熱交換器１１は、冷房運転時と同様に、圧縮機８（図１参照）から吐出された冷媒の放熱器として機能する。尚、除霜運転時の室外熱交換器１１における冷媒の流れは、冷房運転時と同様であるため、ここでは説明を省略する。但し、冷房運転時とは異なり、除霜運転時は、冷媒が、主として、熱交換部６０Ａ〜６０Ｉに付着した霜を融解させつつ放熱することになる。
【００６７】
（４）特徴
本実施形態の室外熱交換器１１（熱交換器）には、以下のような特徴がある。
【００６８】
＜Ａ＞
ここでは、上記の複数の熱交換部６０Ａ〜６０Ｉの構成・配置（図４、図６及び図７参照）によって、第３熱交換部群５０Ｃを構成する第３メイン熱交換部群５１Ｃ、第３熱交換部群５０Ｃを構成する第３サブ熱交換部群５２Ｃ、第２熱交換部群５０Ｂを構成する第２メイン熱交換部群５１Ｂ、第２熱交換部群５０Ｂを構成する第２サブ熱交換部群５２Ｂ、第１熱交換部群５０Ａを構成する第１メイン熱交換部群５１Ａ（メイン熱交換部６１Ａ）、及び、第１熱交換部群５０Ａを構成する第１サブ熱交換部群５２Ａ（最下段の扁平管６３Ａを含むサブ熱交換部６２Ａ）が、上から順に配置されることになる。すなわち、ここでは、複数のサブ熱交換部６２Ａ〜６２Ｉが、第１熱交換部群５０Ａを構成するメイン熱交換部６１Ａ及び第２熱交換部群５０Ｂを構成する第２メイン熱交換部群５１Ｂを介して、上下３つ（第３サブ熱交換部群５２Ｃ、第２サブ熱交換部群５２Ｂ及び第１サブ熱交換部群５２Ａ）に分かれて配置されることになる。
【００６９】
これにより、ここでは、特許文献１に示されたサブ熱交換部が下部にすべてまとめて配置された熱交換器（この構成を本実施形態に当てはめると、サブ熱交換部６２Ａ〜６２Ｉが下部にすべてまとめて配置されることになる）とは異なり、暖房運転時に霜が付着する場所を熱交換器１１の下部以外にも分散させてサブ熱交換部６２Ａ〜６２Ｉに付着する霜の量を減らすことができる。そして、ここでは、除霜運転時にサブ熱交換部６２Ａ〜６２Ｉに付着した霜を融かすための時間を短縮して、サブ熱交換部６２Ａ〜６２Ｉにおける霜の融け残りの発生や除霜が不十分になることを抑えることができる。
【００７０】
しかも、ここでは、上記の複数の熱交換部６０Ａ〜６０Ｉの構成・配置によって、第２熱交換部群５０Ｂにおいてメイン熱交換部６１Ｂ〜６１Ｅとサブ熱交換部６２Ｂ〜６２Ｅとが隣り合う箇所が、第５メイン熱交換部６１Ｅと第５サブ熱交換部６２Ｅとの間の１箇所になる。また、第３熱交換部群５０Ｃにおいてメイン熱交換部６１Ｆ〜６１Ｉとサブ熱交換部６２Ｆ〜６２Ｉとが隣り合う箇所が、第９メイン熱交換部６１Ｉと第９サブ熱交換部６２Ｉとの間の１箇所になる。すなわち、ここでは、メイン熱交換部６１Ａ〜６１Ｉとサブ熱交換部６２Ａ〜６２Ｉとが隣り合う箇所が、全部で５箇所になる。
【００７１】
これにより、ここでは、特許文献２に示されたメイン熱交換部とサブ熱交換部とが上下に１つずつ交互に隣り合うように配置された熱交換器（この構成を本実施形態に当てはめると、メイン熱交換部６１Ａ〜６１Ｉと各サブ熱交換部６２Ａ〜６２Ｉとが隣り合う箇所が、全部で１７箇所になる）とは異なり、メイン熱交換部６１Ａ〜６１Ｉとサブ熱交換部６２Ａ〜６２Ｉとが隣り合う箇所を減らすことができる。そして、ここでは、メイン熱交換部６１Ａ〜６１Ｉとサブ熱交換部６２Ａ〜６２Ｉとの間で発生する熱ロスを減らして、冷房運転時の放熱性能の低下を抑えることができる。
【００７２】
このように、ここでは、サブ熱交換部６２Ａ〜６２Ｉが下部にすべてまとめて配置されることを避けるとともに、メイン熱交換部６１Ａ〜６１Ｉとサブ熱交換部６２Ａ〜６２Ｉとが上下に隣り合う箇所を減らした構成の熱交換器１１を、冷房運転、暖房運転及び除霜運転を切り換えて行う空気調和装置１に採用することによって、熱交換器１１全体として、サブ熱交換部６２Ａ〜６２Ｉに付着する霜の量を減らすとともに、メイン熱交換部６１Ａ〜６１Ｉとサブ熱交換部６２Ａ〜６２Ｉとの間で発生する熱ロスを減らすことができる。
【００７３】
＜Ｂ＞
また、ここでは、上記のように、最下段の熱交換部群である第１熱交換部群５０Ａが、熱交換部６０Ａ〜６０Ｉのうち１つの熱交換部６０Ａを有している。すなわち、ここでは、第１熱交換部群５０Ａにおいて、サブ熱交換部が配置される数を、第１サブ熱交換部６２Ａの１つにしている。これにより、ここでは、第１熱交換部群５０Ａにおいて、サブ熱交換部６２Ａに付着する霜の量を減らすことができる。
【００７４】
（５）変形例
＜Ａ＞
上記実施形態の室外熱交換器１１（熱交換器）では、最下段の熱交換部群である第１熱交換部群５０Ａを、１つの熱交換部６０Ａ（第１メイン熱交換部６１Ａ及び第１サブ熱交換部６２Ａ）で構成している（図４、図６及び図７参照）。
【００７５】
しかし、第１熱交換部群５０Ａを構成する熱交換部の数は１つに限定されるものではなく、第１熱交換部群５０Ａを複数の熱交換部で構成してもよい。但し、サブ熱交換部に付着する霜の量を減らすという観点で、第１熱交換部群５０Ａを構成する熱交換部の数は２つ以下にすることが好ましい。
【００７６】
例えば、図８に示すように、第１熱交換部群５０Ａが、熱交換部６０Ａ〜６０Ｉ（メイン熱交換部６１Ａ〜６１Ｉ及びサブ熱交換部６２Ａ〜６２Ｉ）のうち２つの熱交換部６０Ａ、６０Ｂ（メイン熱交換部６１Ａ、６１Ｂ及びサブ熱交換部６２Ａ、６２Ｂ）を有していてもよい。この場合において、第１熱交換部群５０Ａは、第１熱交換部群５０Ａを構成するメイン熱交換部６１Ａ、６１Ｂがすべて上下に隣り合うように配置された第１メイン熱交換部群５１Ａと、第１熱交換部群５０Ａを構成するサブ熱交換部６２Ａ、６２Ｂがすべて上下に隣り合うように配置された第１サブ熱交換部群５２Ａと、を有している。このように、第１熱交換部群５０Ａでは、２つの熱交換部６０Ａ、６０Ｂをまとめて折り返すようにしているため、メイン熱交換部とサブ熱交換部とが隣り合う箇所を、上記実施形態と同じく、１箇所にすることができる。また、ここでは、第２熱交換部群５０Ｂが、熱交換部６０Ａ〜６０Ｉのうち３つの熱交換部６０Ｃ〜６０Ｅ（メイン熱交換部６１Ｃ〜６１Ｅ及びサブ熱交換部６２Ｃ〜６２Ｅ）を有している。
【００７７】
このように、ここでは、上記の第１熱交換部群５０Ａの構成・配置によって、第１熱交換部群５０Ａにおいてサブ熱交換部がまとめて配置される数を制限しつつ、第１熱交換部群５０Ａにおいてメイン熱交換部とサブ熱交換部とが隣り合う箇所を１箇所に減らすことができる。これにより、ここでは、第１熱交換部群５０Ａにおいて、サブ熱交換部に付着する霜の量を減らすとともに、メイン熱交換部とサブ熱交換部との間で発生する熱ロスを減らすことができる。
【００７８】
＜Ｂ＞
上記実施形態及び変形例＜Ａ＞の室外熱交換器１１（熱交換器）では、３つの熱交換部群５０Ａ〜５０Ｃを９つの熱交換部６０Ａ〜６０Ｉ（メイン熱交換部６１Ａ〜６１Ｉ及びサブ熱交換部６２Ａ〜６２Ｉ）で構成している（図４及び図６〜図８参照）。
【００７９】
しかし、３つの熱交換部群５０Ａ〜５０Ｃを構成する熱交換部の数は９つに限定されるものではなく、５つ以上の熱交換部で構成していればよい。
【００８０】
例えば、図９に示すように、３つの熱交換部群５０Ａ〜５０Ｃを構成する熱交換部の数を熱交換部６０Ａ〜６０Ｈ（メイン熱交換部６１Ａ〜６１Ｈ及びサブ熱交換部６２Ａ〜６２Ｈ）の８つにしてもよい。ここでは、第３熱交換部群５０Ｃが、熱交換部６０Ａ〜６０Ｈのうち３つの熱交換部６０Ｆ〜６０Ｈ（メイン熱交換部６１Ｆ〜６１Ｈ及びサブ熱交換部６２Ｆ〜６２Ｈ）を有しており、第２熱交換部群５０Ｂが、熱交換部６０Ａ〜６０Ｈのうち４つの熱交換部６０Ｂ〜６０Ｅ（メイン熱交換部６１Ｂ〜６１Ｅ及びサブ熱交換部６２Ｂ〜６２Ｅ）を有しており、第１熱交換部群５０Ａが、熱交換部６０Ａ〜６０Ｈのうち１つの熱交換部６０Ａ（第１メイン熱交換部６１Ａ及び第１サブ熱交換部６２Ａ）を有している。
【００８１】
また、例えば、図１０に示すように、３つの熱交換部群５０Ａ〜５０Ｃを構成する熱交換部の数を熱交換部６０Ａ〜６０Ｇ（メイン熱交換部６１Ａ〜６１Ｇ及びサブ熱交換部６２Ａ〜６２Ｇ）の７つにしてもよい。ここでは、第３熱交換部群５０Ｃが、熱交換部６０Ａ〜６０Ｇのうち３つの熱交換部６０Ｅ〜６０Ｇ（メイン熱交換部６１Ｅ〜６１Ｇ及びサブ熱交換部６２Ｅ〜６２Ｇ）を有しており、第２熱交換部群５０Ｂが、熱交換部６０Ａ〜６０Ｇのうち３つの熱交換部６０Ｂ〜６０Ｄ（メイン熱交換部６１Ｂ〜６１Ｄ及びサブ熱交換部６２Ｂ〜６２Ｄ）を有しており、第１熱交換部群５０Ａが、熱交換部６０Ａ〜６０Ｇのうち１つの熱交換部６０Ａ（第１メイン熱交換部６１Ａ及び第１サブ熱交換部６２Ａ）を有している。
【００８２】
また、例えば、図１１に示すように、３つの熱交換部群５０Ａ〜５０Ｃを構成する熱交換部の数を熱交換部６０Ａ〜６０Ｆ（メイン熱交換部６１Ａ〜６１Ｆ及びサブ熱交換部６２Ａ〜６２Ｆ）の６つにしてもよい。ここでは、第３熱交換部群５０Ｃが、熱交換部６０Ａ〜６０Ｆのうち２つの熱交換部６０Ｅ、６０Ｆ（メイン熱交換部６１Ｅ、６０Ｆ及びサブ熱交換部６２Ｅ、６２Ｆ）を有しており、第２熱交換部群５０Ｂが、熱交換部６０Ａ〜６０Ｆのうち３つの熱交換部６０Ｂ〜６０Ｄ（メイン熱交換部６１Ｂ〜６１Ｄ及びサブ熱交換部６２Ｂ〜６２Ｄ）を有しており、第１熱交換部群５０Ａが、熱交換部６０Ａ〜６０Ｆのうち１つの熱交換部６０Ａ（第１メイン熱交換部６１Ａ及び第１サブ熱交換部６２Ａ）を有している。
【００８３】
また、例えば、図１２に示すように、３つの熱交換部群５０Ａ〜５０Ｃを構成する熱交換部の数を熱交換部６０Ａ〜６０Ｅ（メイン熱交換部６１Ａ〜６１Ｅ及びサブ熱交換部６２Ａ〜６２Ｅ）の５つにしてもよい。ここでは、第３熱交換部群５０Ｃが、熱交換部６０Ａ〜６０Ｅのうち２つの熱交換部６０Ｄ、６０Ｅ（メイン熱交換部６１Ｄ、６０Ｅ及びサブ熱交換部６２Ｄ、６２Ｅ）を有しており、第２熱交換部群５０Ｂが、熱交換部６０Ａ〜６０Ｅのうち３つの熱交換部６０Ｂ、６０Ｃ（メイン熱交換部６１Ｂ、６０Ｃ及びサブ熱交換部６２Ｂ、６２Ｃ）を有しており、第１熱交換部群５０Ａが、熱交換部６０Ａ〜６０Ｆのうち１つの熱交換部６０Ａ（第１メイン熱交換部６１Ａ及び第１サブ熱交換部６２Ａ）を有している。
【００８４】
これらの構成においても、上記実施形態及び変形例＜Ａ＞と同様に、冷房運転、暖房運転及び除霜運転を切り換えて行う空気調和装置１に採用することによって、熱交換器１１全体として、サブ熱交換部に付着する霜の量を減らすとともに、メイン熱交換部とサブ熱交換部との間で発生する熱ロスを減らすことができる。
【００８５】
＜Ｃ＞
上記実施形態及び変形例＜Ａ＞、＜Ｂ＞の室外熱交換器１１（熱交換器）では、第２熱交換部群５０Ｂ及び第３熱交換部群５０Ｃを、２〜４つの熱交換部で構成している（図４、図６〜図１２参照）。
【００８６】
しかし、第２熱交換部群５０Ｂ及び第３熱交換部群５０Ｃを構成する熱交換部の数は２〜４つに限定されるものではなく、さらに多くの熱交換部で構成してもよい。但し、暖房運転時における第２熱交換部群５０Ｂ及び第３熱交換部群５０Ｃを構成する各熱交換部への冷媒の分流性能を良好に維持するという観点で、第２熱交換部群５０Ｂ及び第３熱交換部群５０Ｃを構成する熱交換部の数は５つ以下にすることが好ましい。
【００８７】
例えば、図１３に示すように、第２熱交換部群５０Ｂが、熱交換部６０Ａ〜６０Ｉ（メイン熱交換部６１Ａ〜６１Ｉ及びサブ熱交換部６２Ａ〜６２Ｉ）のうち第１熱交換部群５０Ａよりも上側に配置された５つの熱交換部６０Ｂ〜６０Ｆ（メイン熱交換部６１Ｂ〜６１Ｆ及びサブ熱交換部６２Ｂ〜６２Ｆ）を有していてもよい。また、ここでは、第３熱交換部群５０Ｃが、熱交換部６０Ａ〜６０Ｉのうち第２熱交換部群５０Ｂよりも上側に配置された３つの熱交換部６０Ｇ〜６０Ｉ（メイン熱交換部６１Ｇ〜６１Ｉ及びサブ熱交換部６２Ｇ〜６２Ｉ）を有している。
【００８８】
また、例えば、図１４に示すように、第３熱交換部群５０Ｃが、熱交換部６０Ａ〜６０Ｉ（メイン熱交換部６１Ａ〜６１Ｉ及びサブ熱交換部６２Ａ〜６２Ｉ）のうち第２熱交換部群５０Ｂよりも上側に配置された５つの熱交換部６０Ｅ〜６０Ｉ（メイン熱交換部６１Ｅ〜６１Ｉ及びサブ熱交換部６２Ｅ〜６２Ｉ）を有していてもよい。また、ここでは、第２熱交換部群５０Ｂが、熱交換部６０Ａ〜６０Ｉのうち第１熱交換部群５０Ａよりも上側に配置された３つの熱交換部６０Ｂ〜６０Ｄ（メイン熱交換部６１Ｂ〜６１Ｄ及びサブ熱交換部６２Ｂ〜６２Ｄ）を有している。
【００８９】
ここでは、上記のように、第２熱交換部群５０Ｂ及び第３熱交換部群５０Ｃにおいてサブ熱交換部がまとめて配置される数を５つ以下に制限しているため、第２熱交換部群５０Ｂ及び第３熱交換部群５０Ｃを構成する各熱交換部への冷媒の分流性能、特に、暖房運転時における分流性能を良好に維持することができる。
【００９０】
＜Ｄ＞
上記実施形態及び変形例＜Ａ＞〜＜Ｃ＞の室外熱交換器１１（熱交換器）では、複数の熱交換部を３つの熱交換部群５０Ａ〜５０Ｃに区分している（図４及び図６〜図１４参照）。
【００９１】
しかし、複数の熱交換部の群区分は３つに限定されるものではなく、２つの熱交換部群５０Ａ、５０Ｂに区分されていてもよい。
【００９２】
例えば、図１５に示すように、第１熱交換部６０Ａ（第１メイン熱交換部６１Ａ及び第１サブ熱交換部６２Ａ）が第１熱交換部群５０Ａを構成しており、熱交換部６０Ｂ〜６０Ｅ（メイン熱交換部６１Ｂ〜６１Ｅ及びサブ熱交換部６２Ｂ〜６２Ｅ）が第２熱交換部群５０Ｂを構成してもよい。
【００９３】
ここでは、上記の複数の熱交換部６０Ａ〜６０Ｉの構成・配置によって、第２熱交換部群５０Ｂを構成する第２メイン熱交換部群５１Ｂ、第２熱交換部群５０Ｂを構成する第２サブ熱交換部群５２Ｂ、第１熱交換部群５０Ａを構成する第１メイン熱交換部群５１Ａ（メイン熱交換部６１Ａ）、及び、第１熱交換部群５０Ａを構成する第１サブ熱交換部群５２Ａ（最下段の扁平管６３Ａを含むサブ熱交換部６２Ａ）が、上から順に配置されることになる。すなわち、ここでは、複数のサブ熱交換部６２Ａ〜６２Ｅが、第１熱交換部群５０Ａを構成するメイン熱交換部６１Ａを介して、上下２つ（第２サブ熱交換部群５２Ｂ及び第１サブ熱交換部群５２Ａ）に分かれて配置されることになる。
【００９４】
これにより、ここでは、特許文献１に示されたサブ熱交換部が下部にすべてまとめて配置された熱交換器（この構成を本実施形態に当てはめると、サブ熱交換部６２Ａ〜６２Ｅが下部にすべてまとめて配置されることになる）とは異なり、暖房運転時に霜が付着する場所を熱交換器１１の下部以外にも分散させてサブ熱交換部６２Ａ〜６２Ｅに付着する霜の量を減らすことができる。そして、ここでは、除霜運転時にサブ熱交換部６２Ａ〜６２Ｅに付着した霜を融かすための時間を短縮して、サブ熱交換部６２Ａ〜６２Ｅにおける霜の融け残りの発生や除霜が不十分になることを抑えることができる。
【００９５】
しかも、ここでは、上記の複数の熱交換部６０Ａ〜６０Ｅの構成・配置によって、第２熱交換部群５０Ｂにおいてメイン熱交換部６１Ｂ〜６１Ｅとサブ熱交換部６２Ｂ〜６２Ｅとが隣り合う箇所が、第５メイン熱交換部６１Ｅと第５サブ熱交換部６２Ｅとの間の１箇所になる。すなわち、ここでは、メイン熱交換部６１Ａ〜６１Ｅとサブ熱交換部６２Ａ〜６２Ｅとが隣り合う箇所が、全部で３箇所になる。
【００９６】
これにより、ここでは、特許文献２に示されたメイン熱交換部とサブ熱交換部とが上下に１つずつ交互に隣り合うように配置された熱交換器（この構成を本実施形態に当てはめると、メイン熱交換部６１Ａ〜６１Ｅと各サブ熱交換部６２Ａ〜６２Ｅとが隣り合う箇所が、全部で９箇所になる）とは異なり、メイン熱交換部６１Ａ〜６１Ｅとサブ熱交換部６２Ａ〜６２Ｅとが隣り合う箇所を減らすことができる。そして、ここでは、メイン熱交換部６１Ａ〜６１Ｅとサブ熱交換部６２Ａ〜６２Ｅとの間で発生する熱ロスを減らして、冷房運転時の放熱性能の低下を抑えることができる。
【００９７】
これらの構成においても、上記実施形態及び変形例＜Ａ＞〜＜Ｃ＞と同様に、冷房運転、暖房運転及び除霜運転を切り換えて行う空気調和装置１に採用することによって、熱交換器１１全体として、サブ熱交換部に付着する霜の量を減らすとともに、メイン熱交換部とサブ熱交換部との間で発生する熱ロスを減らすことができる。
【００９８】
＜Ｅ＞
各熱交換部（メイン熱交換部及びサブ熱交換部）を構成する扁平管６３の本数は、上記実施形態及び変形例＜Ａ＞〜＜Ｄ＞の室外熱交換器１１（熱交換器）における扁平管６３の本数に限定されるものではない。
【００９９】
また、第１熱交換部５０Ａ（複数の熱交換部を含む場合）、第２熱交換部群５０Ｂ及び第３熱交換部群５０Ｃにおけるメイン熱交換部やサブ熱交換部の配置は、上記実施形態及び変形例＜Ａ＞〜＜Ｄ＞の室外熱交換器１１（熱交換器）における配置に限定されるものではない。例えば、図７における第２熱交換部群５０Ｂを構成する第２メイン熱交換部群５１Ｂでは、上から第２メイン熱交換部６１Ｂ、第３メイン熱交換部６１Ｃ、第４メイン熱交換部６１Ｄの順に配置されているが、上下逆の並び等であってもよい。
【０１００】
また、上記実施形態及び変形例＜Ａ＞〜＜Ｄ＞の室外熱交換器１１（熱交換器）では、上下に隣り合うメイン熱交換部とサブ熱交換部との直列接続については、折り返し連通空間を介して行われているが、これに限定されるものではなく、連通管を介して直列接続されていてもよい。
【０１０１】
また、上記実施形態及び変形例＜Ａ＞〜＜Ｄ＞では、上吹き型の室外ユニット２に設けられた室外熱交換器１１に対して本発明を適用したが、他の型式の室外ユニットに設けられた室外熱交換器に本発明を適用してもよい。
【産業上の利用可能性】
【０１０２】
本発明は、上下に配列されるとともに内部に冷媒の通路が形成された複数の扁平管と、隣り合う扁平管の間を空気が流れる複数の通風路に区画する複数のフィンと、を有する熱交換器に対して、広く適用可能である。
【符号の説明】
【０１０３】
１１            室外熱交換器（熱交換器）
５０Ａ          第１熱交換部群
５０Ｂ          第２熱交換部群
５０Ｃ          第３熱交換部群
５１Ａ          第１メイン熱交換部群
５１Ｂ          第２メイン熱交換部群
５１Ｃ          第３メイン熱交換部群
５２Ａ          第１サブ熱交換部群
５２Ｂ          第２サブ熱交換部群
５２Ｃ          第３サブ熱交換部群
６０Ａ〜６０Ｉ  熱交換部
６１Ａ〜６１Ｉ  メイン熱交換部
６２Ａ〜６２Ｉ  サブ熱交換部
６３            扁平管
６３Ａ          最下段の扁平管
６３ｂ          通路
６４            フィン
【先行技術文献】
【特許文献】
【０１０４】
【特許文献１】特開２０１２−１６３３１９号公報
【特許文献２】特開２０１２−１６３３１３号公報
【図１】
2019035535.tif 000003
【図２】
2019035535.tif 000004
【図３】
2019035535.tif 000005
【図４】
2019035535.tif 000006
【図５】
2019035535.tif 000007
【図６】
2019035535.tif 000008
【図７】
2019035535.tif 000009
【図８】
2019035535.tif 000010
【図９】
2019035535.tif 000011
【図１０】
2019035535.tif 000012
【図１１】
2019035535.tif 000013
【図１２】
2019035535.tif 000014
【図１３】
2019035535.tif 000015
【図１４】
2019035535.tif 000016
【図１５】
2019035535.tif 000017